(57)【要約】本発明は、通信技術分野に関し、自動ダイヤルを実現でき、取得されたＡＰＮ情報の正確性を向上できるアクセスポイントの自動ダイヤリング方法及び装置を提供する。本発明の実施例に係る方法は、ＳＩＭカード内の情報に対応するＡＰＮ情報を検出し、該検出されたＳＩＭカード内の情報に対応するＡＰＮ情報に基づいて自動ダイヤルを行い、プリセット基板ソフトウェアに対応するＡＰＮ情報を検出し、該検出されたプリセット基板ソフトウェアに対応するＡＰＮ情報に基づいて自動ダイヤルを行い、プリセットされたＡＰＮ情報に基づいて自動ダイヤルを行う。本発明の実施例に係る方法は、アクセスポイントの自動ダイヤルを行う際に用いられる。
2014525177.tif 000002
【特許請求の範囲】
【請求項１】
ダイヤルが成功する、或いは下記３つの方式を全て用いってもダイヤルが失敗するまで、任意の順序で３つの方式を用いて自動ダイヤルを行う方法であって、該３つの方式は、
加入者識別モジュール（ＳＩＭ）カード内の情報に対応するアクセスポイント（ＡＰＮ）情報を検出し、前記検出されたＳＩＭカード内の情報に対応するＡＰＮ情報に基づいて自動ダイヤルを行うこと、
プリセット基板ソフトウェアに対応するＡＰＮ情報を検出し、前記検出されたプリセット基板ソフトウェアに対応するＡＰＮ情報に基づいて自動ダイヤルを行うこと、及び
クライアントソフトウェアにプリセットされたＡＰＮ情報に基づいて自動ダイヤルを行うことである、アクセスポイントの自動ダイヤリング方法。
【請求項２】
前記ＳＩＭカード内の情報は、モバイル国コード（ＭＣＣ）／モバイルネットワークコード（ＭＮＣ）、グループＩＤ（ＧＩＤ）値、及びＳＩＭカードが登録されているネットワーク規格を含む、請求項１に記載のアクセスポイントの自動ダイヤリング方法。
【請求項３】
前記ＳＩＭカード内の情報に対応するＡＰＮ情報を検出し、前記検出されたＳＩＭカード内の情報に対応するＡＰＮ情報に基づいて自動ダイヤルを行う方式において、
ダイヤルが成功する、或いは下記３つの方式を全て用いってもダイヤルが失敗するまで、任意の順序で３つの方式を用いて自動ダイヤルを行い、該３つの方式は、
ＳＩＭカード内のＭＣＣ又はＭＮＣを取得し、前記取得されたＭＣＣ又はＭＮＣに基づいて前記ＭＣＣ又はＭＮＣに対応するＡＰＮ情報を検出し、前記検出されたＳＩＭカード内のＭＣＣ又はＭＮＣに対応するＡＰＮ情報に基づいて自動ダイヤルを行うこと、
ＳＩＭカード内のＧＩＤ値を取得し、前記取得されたＧＩＤ値に基づいて前記ＧＩＤ値に対応するＡＰＮ情報を検出し、前記検出されたＳＩＭカード内のＧＩＤ値に対応するＡＰＮ情報に基づいて自動ダイヤルを行うこと、及び
ＳＩＭカードが登録されているネットワーク規格を取得し、前記取得されたネットワーク規格に基づいて前記ネットワーク規格に対応するＡＰＮ情報を検出し、前記検出されたＳＩＭカードが登録されているネットワーク規格に対応するＡＰＮ情報に基づいて自動ダイヤルを行うことである、請求項２に記載のアクセスポイントの自動ダイヤリング方法。
【請求項４】
前記ＡＰＮ情報は、前記ＳＩＭカード内の情報の組み合わせ順序に従って前記ＳＩＭカードに記憶されている、或いは前記クライアントソフトウェアに記憶されている、請求項３に記載のアクセスポイントの自動ダイヤリング方法。
【請求項５】
ダイヤルが成功した場合、ブラウザを起動することをさらに含む、請求項１に記載のアクセスポイントの自動ダイヤリング方法。
【請求項６】
ＳＩＭカード内の情報に対応するＡＰＮ情報を検出し、前記検出されたＳＩＭカード内の情報に対応するＡＰＮ情報に基づいて自動ダイヤルを行う第１のダイヤリング手段と、
プリセット基板ソフトウェアに対応するＡＰＮ情報を検出し、前記検出されたプリセット基板ソフトウェアに対応するＡＰＮ情報に基づいて自動ダイヤルを行う第２のダイヤリング手段と、
クライアントソフトウェアにプリセットされたＡＰＮ情報に基づいて自動ダイヤルを行う第３のダイヤリング手段と、
前記第１のダイヤリング手段、前記第２のダイヤリング手段、及び前記第３のダイヤリング手段のいずれか１つをトリガし、該ダイヤリング手段によるダイヤルが失敗した場合、他の２つのダイヤリング手段のいずれか１つをトリガし、該ダイヤリング手段によるダイヤルが再び失敗した場合、残りのダイヤル手段をトリガする制御手段と、を含む、アクセスポイントの自動ダイヤリング装置。
【請求項７】
下記第１の実行手段内の各グループのモジュールの実行順序が限定されず、各グループのモジュールは取得モジュール、検出モジュール及びダイヤリングモジュールを含み、第１の実行手段は、
ＳＩＭカード内のＭＣＣ又はＭＮＣを取得する取得モジュールと、前記取得されたＭＣＣ又はＭＮＣに基づいて前記ＭＣＣ又はＭＮＣに対応するＡＰＮ情報を検出する検出モジュールと、前記検出されたＳＩＭカード内のＭＣＣ又はＭＮＣに対応するＡＰＮ情報に基づいて自動ダイヤルを行うダイヤリングモジュールと、制御モジュールと、を含み、
前記取得モジュールは、ＳＩＭカード内のＧＩＤ値をさらに取得し、前記検出モジュールは、前記取得されたＧＩＤ値に基づいて前記ＧＩＤ値に対応するＡＰＮ情報をさらに検出し、前記ダイヤリングモジュールは、前記検出されたＳＩＭカード内のＧＩＤ値に対応するＡＰＮ情報に基づいて自動ダイヤルをさらに行い、
前記取得モジュールは、ＳＩＭカードが登録されているネットワーク規格をさらに取得し、前記検出モジュールは、前記取得されたネットワーク規格に基づいて前記ネットワーク規格に対応するＡＰＮ情報をさらに検出し、前記ダイヤリングモジュールは、前記検出されたＳＩＭカードが登録されているネットワーク規格に対応するＡＰＮ情報に基づいて自動ダイヤルをさらに行い、
前記制御モジュールは、前記ＳＩＭカード内のＭＣＣ又はＭＮＣ、前記ＳＩＭカード内のＧＩＤ、及び前記ＳＩＭカードが登録されているネットワーク規格を含む３種類の情報のいずれか１つを取得するように前記取得モジュールを制御し、前記ダイヤリングモジュールによるダイヤルが失敗した場合、他の２種類の情報のいずれか１つを取得するように前記取得モジュールをトリガし、前記ダイヤリングモジュールによるダイヤルが再び失敗した場合、残りの１種類の情報を取得するように前記取得モジュールをトリガする、請求項６に記載のアクセスポイントの自動ダイヤリング装置。
【請求項８】
前記ＡＰＮ情報は、前記ＳＩＭカード内の情報の組み合わせ順序に従って前記ＳＩＭカードに記憶されている、或いは前記クライアントソフトウェアに記憶されている、請求項７に記載のアクセスポイントの自動ダイヤリング装置。
【請求項９】
ダイヤルが成功した場合、ブラウザを起動するログイン手段をさらに含む、請求項６に記載のアクセスポイントの自動ダイヤリング装置。
【発明の詳細な説明】
【技術分野】
【０００１】
本発明は、通信技術分野に関し、特にアクセスポイントの自動ダイヤリング方法及び装置に関する。
【背景技術】
【０００２】
アクセスポイント、即ちＡＰＮ（Access  Point  Name）は、端末装置がネットワークにアクセスする際に設定する必要のあるパラメータであり、端末装置のネットワークにアクセスする方式を決定する。従来は、端末は静的ＡＰＮ及び動的ＡＰＮという２つの方式を用いることができる。
【０００３】
静的ＡＰＮのダイヤル方式を用いてデータに対する操作を行う場合、事業者が複数の利用可能なＡＰＮをカスタマイズし、ＡＰＮ情報を端末のファイルに記憶し、端末装置のソフトウェアが手動選択インタフェースを提供し、端末のユーザがあるＡＰＮを選択した場合、対応するＧＧＳＮ（Gateway  GPRS  Support  Node：ゲートウェイＧＰＲＳサポートノード）を及びデータネットワーク接続を取得し、データの操作を行うことができる。データネットワークが正常に接続されている場合、データ操作処理に進み、データデットワークが正常に接続されていない場合、他のＡＰＮ及びデータネットワーク接続を手動に選択し、データネットワークが依然として正常に接続されていない場合、操作が終了する。
【０００４】
動的ＡＰＮのダイヤル方式を用いてデータに対する操作を行う場合、複数の利用可能なＡＰＮはＳＩＭ（Subscriber  Identity  Module：加入者識別モジュール）カード内のＩＭＳＩ（International  Mobile  Subscriber  Identification  Number：国際移動電話加入者識別番号）番号セグメントのＭＣＣ（Mobile  Country  Code：モバイル国コード）又はＭＮＣ（Mobile  Network  Code：モバイルネットワークコード）に対応する、即ち異なる番号セグメントのＳＩＭカードは異なるＡＰＮ情報に対応する。ＡＰＮ情報が端末のファイル内に記憶され、端末のユーザがＳＩＭカードを挿入すると、端末内のプログラムは、ＳＩＭカード内のＭＣＣ又はＭＮＣメッセージを照合し、ＳＩＭカード内のＭＣＣ又はＭＮＣに対応するＡＰＮメッセージを自動的に適応させることで、対応するＧＧＳＮ及びデータネットワーク接続を取得し、データ操作を行うことができる。
【０００５】
事業者の事業の拡大に伴い、各事業者が複数のサブブランドを管理し、これらのサブブランドが同じＭＣＣ又はＭＮＣを共有するが、これらのサブブランドが異なるサービスタイプを有し、異なるサービスが異なるＡＰＮ情報を有するため、従来技術を用いてダイヤルを行う場合、ＭＣＣ又はＭＮＣに基づいて利用可能なＡＰＮ情報を有効に取得できない場合がある。
【発明の概要】
【発明が解決しようとする課題】
【０００６】
本発明の実施例は、自動ダイヤルを実現でき、ＡＰＮ情報の取得の正確性を向上できるアクセスポイントの自動ダイヤリング方法及び装置を提供する。
【課題を解決するための手段】
【０００７】
上記目的を達成するため、本発明の実施例は以下の態様を採用する。
【０００８】
ダイヤルが成功する、或いは下記３つの方式を全て用いってもダイヤルが失敗するまで、任意の順序で３つの方式を用いて自動ダイヤルを行う方法であって、該３つの方式は、加入者識別モジュール（ＳＩＭ）カード内の情報に対応するアクセスポイント（ＡＰＮ）情報を検出し、前記検出されたＳＩＭカード内の情報に対応するＡＰＮ情報に基づいて自動ダイヤルを行うこと、プリセット基板ソフトウェアに対応するＡＰＮ情報を検出し、前記検出されたプリセット基板ソフトウェアに対応するＡＰＮ情報に基づいて自動ダイヤルを行うこと、及びクライアントソフトウェアにプリセットされたＡＰＮ情報に基づいて自動ダイヤルを行うことである、アクセスポイントの自動ダイヤリング方法を提供する。
【０００９】
ＳＩＭカード内の情報に対応するＡＰＮ情報を検出し、前記検出されたＳＩＭカード内の情報に対応するＡＰＮ情報に基づいて自動ダイヤルを行う第１のダイヤリング手段と、プリセット基板ソフトウェアに対応するＡＰＮ情報を検出し、前記検出されたプリセット基板ソフトウェアに対応するＡＰＮ情報に基づいて自動ダイヤルを行う第２のダイヤリング手段と、クライアントソフトウェアにプリセットされたＡＰＮ情報に基づいて自動ダイヤルを行う第３のダイヤリング手段と、前記第１のダイヤリング手段、前記第２のダイヤリング手段、及び前記第３のダイヤリング手段のいずれか１つをトリガし、該ダイヤリング手段によるダイヤルが失敗した場合、他の２つのダイヤリング手段のいずれか１つをトリガし、該ダイヤリング手段によるダイヤルが再び失敗した場合、残りのダイヤル手段をトリガする制御手段と、を含む、アクセスポイントの自動ダイヤリング装置を提供する。
【００１０】
本発明の実施例によれば、事業者の管理するサブブランドが同じＭＣＣ又はＭＮＣを共有するが、サービスタイプの違いによりＡＰＮ情報を共有しない場合、ＭＣＣ又はＭＮＣに基づいて利用可能なＡＰＮ情報を有効に取得できない、という課題を解決できる。
【図面の簡単な説明】
【００１１】
ここに例示される図面は、本発明を理解するために用いられ、本願の一部を構成するが、本発明を限定するものではない。
【図１】本発明の実施例１に係るアクセスポイントの自動ダイヤリング方法のフローチャートである。
【図２】本発明の実施例１に係るアクセスポイントの自動ダイヤリング装置のブロック図である。
【図３】本発明の実施例２に係るアクセスポイントの自動ダイヤリング方法のフローチャートである。
【図４】本発明の実施例２に係る、ＳＩＭカード内の情報に対応するＡＰＮ情報に基づいて自動ダイヤルを行う方法のフローチャートである。
【図５】本発明の実施例２に係るアクセスポイントの自動ダイヤリング装置のブロック図である。
【図６】本発明の実施例２に係る第１の実行部のブロック図である。
【発明を実施するための形態】
【００１２】
以下、本発明の目的、態様及び効果をより明確にするため、実施形態及び図面を参照しながら、本発明を詳細に説明する。なお、本発明の例示的な実施形態及びその説明は、本発明を釈明するためのものであり、本発明を限定するものではない。
【００１３】
＜実施例１＞
本発明の実施例は、アクセスポイントの自動ダイヤリング方法を提供し、図１に示すように、該方法は、ダイヤルが成功する、或いは下記３つの方式を全て用いっても失敗するまで、任意の順序で３つの方式を用いて自動ダイヤルを行う。
【００１４】
ステップ１０１：ＳＩＭカード内の情報に対応するアクセスポイント（ＡＰＮ）情報を検出し、該検出されたＳＩＭカード内の情報に対応するＡＰＮ情報に基づいて自動ダイヤルを行う。
【００１５】
ここで、ＳＩＭカード内の情報は、ＭＣＣ又はＭＮＣ、ＧＩＤ（Group  Identification：グループＩＤ）値、及びＳＩＭカードが登録されているネットワーク規格を含む。
【００１６】
ＡＰＮ情報は、ＭＣＣ又はＭＮＣに対応するＡＰＮ情報、ＧＩＤに対応するＡＰＮ情報、及びネットワーク規格に対応するＡＰＮ情報を含み、ＡＰＮ情報は、ＳＩＭカード内の情報の組み合わせ順序に従って該ＳＩＭカードに記憶されている、或いはクライアントソフトウェアに記憶されている。
【００１７】
ステップ１０２：プリセット基板ソフトウェアに対応するＡＰＮ情報を検出し、該検出されたプリセット基板ソフトウェアに対応するＡＰＮ情報に基づいて自動ダイヤルを行う。
【００１８】
プリセット基板ソフトウェアは、直接ハードウェアとやり取りを行うソフトウェアである。プリセット基板ソフトウェアに対応するＡＰＮ情報は、主にプリセット基板ソフトウェアに書き込まれたパラメータによりＡＰＮ情報に対応するものであり、事業者がＡＰＮ情報をプロダクトの基板（board）に予め設定し、クライアントソフトウェアがＡＴ指令を送信することでＡＰＮ情報を取得し、自動ダイヤルを行う。
【００１９】
ステップ１０３：クライアントソフトウェアにプリセットされたＡＰＮ情報に基づいて自動ダイヤルを行う。
【００２０】
本発明の実施例に係るアクセスポイントの自動ダイヤリング方法は、以下３種類の方式により自動ダイヤルを行う。ＳＩＭカード内の情報に対応するＡＰＮ情報を検出し、検出されたＳＩＭカード内の情報に対応するＡＰＮ情報に基づいて自動ダイヤルを行い、プリセット基板ソフトウェアに対応するＡＰＮ情報を検出し、検出されたプリセット基板ソフトウェアに対応するＡＰＮ情報に基づいて自動ダイヤルを行い、クライアントソフトウェアにプリセットされたＡＰＮ情報に基づいて自動ダイヤルを行う。
【００２１】
従来技術に比べると、事業者の管理するサブブランドが同じＭＣＣ又はＭＮＣを共有するが、サービスタイプの違いによりＡＰＮ情報を共有しない場合、ＭＣＣ又はＭＮＣに基づいて利用可能なＡＰＮ情報を有効に取得できない、という課題を解決できる。
【００２２】
本発明の実施例は、アクセスポイントの自動ダイヤリング装置を提供し、図２に示すように、該装置は、第１のダイヤリング部２０１、第２のダイヤリング部２０２、第３のダイヤリング部２０３、及び制御部２０４を含む。
【００２３】
第１のダイヤリング部２０１は、ＳＩＭカード内の情報に対応するＡＰＮ情報を検出し、検出されたＳＩＭカード内の情報に対応するＡＰＮ情報に基づいて自動ダイヤルを行う。
【００２４】
第２のダイヤリング部２０２は、プリセット基板ソフトウェアに対応するＡＰＮ情報を検出し、検出されたプリセット基板ソフトウェアに対応するＡＰＮ情報に基づいて自動ダイヤルを行う。
【００２５】
第３のダイヤリング部２０４は、クライアントソフトウェアにプリセットされたＡＰＮ情報に基づいて自動ダイヤルを行う。
【００２６】
制御部２０４は、第１のダイヤリング部２０１、第２のダイヤリング部２０２、及び第３のダイヤリング部２０３のいずれか１つをトリガし、該ダイヤリング部によるダイヤルが失敗した場合、他の２つのダイヤリング部のいずれか１つをトリガし、該ダイヤリング部によるダイヤルが再び失敗した場合、残りのダイヤル部をトリガする。
【００２７】
好適には、該制御部は、第１のダイヤリング部２０１、第２のダイヤリング部２０２及び第３のダイヤリング部２０３の順序に従って、３つのダイヤリング部をトリガしてもよい。好ましくは、３つのダイヤリングによるダイヤルが全て失敗した場合、制御部は、ダイヤ部失敗の知らせを出してもよい。
【００２８】
本発明の実施例に係るアクセスポイントの自動ダイヤリング装置によれば、従来技術に比べると、事業者の管理するサブブランドが同じＭＣＣ又はＭＮＣを共有するが、サービスタイプの違いによりＡＰＮ情報を共有しない場合、ＭＣＣ又はＭＮＣに基づいて利用可能なＡＰＮ情報を有効に取得できない、という課題を解決できる。
【００２９】
＜実施例２＞
本発明の実施例は、アクセスポイントの自動ダイヤリング方法を提供し、図３に示すように、該方法は以下のステップを含む。
【００３０】
本発明の実施例では、自動ダイヤリングは以下の３つの方式、即ちＳＩＭカード内の情報に対応するＡＰＮ情報に基づいて自動ダイヤルを行うこと、プリセット基板ソフトウェアに対応するＡＰＮ情報に基づいて自動ダイヤルを行うこと、及びクライアントソフトウェアにプリセットされたＡＰＮ情報に基づいて自動ダイヤルを行うこと、を用い、該３つ自動ダイヤリングの方式は、順序が任意に並べ替えてもよく、任意に組み合わせてもよい。本発明では、ＳＩＭカード内の情報に対応するＡＰＮ情報に基づいて自動ダイヤルを行い、プリセット基板ソフトウェアに対応するＡＰＮ情報に基づいて自動ダイヤルを行い、クライアントソフトウェアにプリセットされたＡＰＮ情報に基づいて自動ダイヤルを行う、という順序について詳細に説明する。
【００３１】
ステップ３０１：加入者識別モジュール（ＳＩＭ）カード内の情報に対応するアクセスポイント（ＡＰＮ）情報を検出し、検出されたＳＩＭカード内の情報に対応するＡＰＮ情報に基づいて自動ダイヤルを行う。
【００３２】
ＳＩＭカード内の情報は、モバイル国コード（ＭＣＣ）／モバイルネットワークコード（ＭＮＣ）、グループＩＤ（ＧＩＤ）値、及びＳＩＭカードが登録されているネットワーク規格を含む。
【００３３】
ＡＰＮ（Access  Point  Name：アクセスポイント）は、ユーザが携帯電話を介してネットワークにアクセスする際に設定する必要のあるパラメータであり、携帯電話のネットワークにアクセスする方式を決定する。
【００３４】
具体的には、図４に示すように、ステップ３０１の以下の通りである。
【００３５】
なお、ＳＩＭカード内の情報に対応するＡＰＮ情報は、ＭＣＣ／ＭＮＣに対応するＡＰＮ情報、グループＩＤ（ＧＩＤ）値に対応するＡＰＮ情報、及びＳＩＭカードが登録されているネットワーク規格に対応するＡＰＮ情報という組み合わせで予め設定され、より具体的には、ＳＩＭカード内の情報に対応するＡＰＮ情報の組み合わせ方法は、ＭＣＣ／ＭＮＣに対応するＡＰＮ情報、ＳＩＭカードが登録されているネットワーク規格に対応するＡＰＮ情報、及びグループＩＤ（ＧＩＤ）値に対応するＡＰＮ情報、或いは
グループＩＤ（ＧＩＤ）値に対応するＡＰＮ情報、ＭＣＣ／ＭＮＣに対応するＡＰＮ情報、及びＳＩＭカードが登録されているネットワーク規格に対応するＡＰＮ情報、或いは
グループＩＤ（ＧＩＤ）値に対応するＡＰＮ情報、ＳＩＭカードが登録されているネットワーク規格に対応するＡＰＮ情報、及びＭＣＣ／ＭＮＣに対応するＡＰＮ情報、或いは
ＳＩＭカードが登録されているネットワーク規格に対応するＡＰＮ情報、ＭＣＣ／ＭＮＣに対応するＡＰＮ情報、及びグループＩＤ（ＧＩＤ）値に対応するＡＰＮ情報、或いは
ＳＩＭカードが登録されているネットワーク規格に対応するＡＰＮ情報、グループＩＤ（ＧＩＤ）値に対応するＡＰＮ情報、及びＭＣＣ／ＭＮＣに対応するＡＰＮ情報であってもよい。
【００３６】
ＡＰＮ情報は上記のＡＰＮ情報の組み合わせ順序に従って予め設定される、即ち特定情報に対応するＡＰＮ情報に基づいて自動ダイヤルを行うことができる。ＡＰＮ情報はＳＩＭカードのファイルに記憶される、或いはクライアントソフトウェアに記憶され、端末側のソフトウェアにより送信されたＡＴ（Attention）指令により、対応するＡＰＮ情報を照合する。
【００３７】
好ましくは、ＭＣＣ／ＭＮＣに対応するＡＰＮ情報及びＧＩＤ内の情報に対応するＡＰＮ情報の関連性が強く、ネットワーク規格がネットワークの登録状況に応じて変化するため、本発明の実施例では、ＳＩＭカード内の情報に対するＡＰＮ情報は、ＭＣＣ／ＭＮＣに対応するＡＰＮ情報、グループＩＤ（ＧＩＤ）値に対応するＡＰＮ情報、及びＳＩＭカードが登録されているネットワーク規格に対応するＡＰＮ情報という組み合わせに従ってダイヤルを行うことについて詳細に説明する。
【００３８】
ステップ４０１：ＳＩＭカード内のＭＣＣ又はＭＮＣを取得する。
【００３９】
ＭＣＣ（Mobile  Country  Code）は、モバイル国コードであり、ＭＣＣリソースは、国際電気通信連合（ITU）により統一に割り当てられて管理され、ＭＣＣはモバイルのユーザが属する国を唯一に識別し、３桁であり、中国は４６０である。
【００４０】
ＭＮＣ（Mobile  Network  Code）は、モバイルネットワークコードであり、２桁であり、中国移動のＧＳＭ（登録商標）システムは００、０２を使用し、中国聯通のＧＳＭシステムは０１を使用し、中国電信のＣＤＭＡシステムは０３を使用し、中国移動のＴＤシステムは０７を使用する。
【００４１】
具体的には、クライアントソフトウェアは、ＡＴ（Attention）指令を送信することで、ＭＣＣ又はＭＮＣを照合する。
【００４２】
ステップ４０２：取得されたＭＣＣ又はＭＮＣに基づいて、ＭＣＣ又はＭＮＣに対応するＡＰＮ情報が存在するか否かを検出する。
【００４３】
具体的には、取得されたＳＩＭカード内のＭＣＣ又はＭＮＣに基づいて、ＳＩＭカードのファイル又はクライアントソフトウェアにＭＣＣ又はＭＮＣに対応するＡＰＮ情報が存在するか否かを照合してもよい。
【００４４】
ステップ４０３：ＭＣＣ又はＭＮＣに対応するＡＰＮ情報が存在している場合、検出されたＳＩＭカード内のＭＣＣ又はＭＮＣに対応するＡＰＮ情報に基づいて自動ダイヤルを行う。
【００４５】
ステップ４０４：ＭＣＣ又はＭＮＣに対応するＡＰＮ情報が存在しない場合、ＳＩＭカード内のＧＩＤ値を取得する。
【００４６】
ＭＣＣ又はＭＮＣに対応するＡＰＮ情報が存在しない場合、他の方式を用いてダイヤルを行う。
【００４７】
ＧＩＤ（Group  Identification：グループＩＤ）は、共有リソースシステムのユーザのＩＤを指し、汎用的、適応性の強い、使いやすいユーザインタフェースのグラフィカルユーザインタフェースを幾何学的なシミュレーション、データ入力、モデル変換、グリッド及び可視化に適用する結果であり、数値シミュレーションパケットの全てのタイプに適用できる。あるＧＩＤのＳＩＭカードは、特定の機能を有するユーザを特別に表し、例えば、ＧＩＤがＡのユーザがショートメッセージを無料で利用でき、ＧＩＤがＢのユーザがマルチメディアメッセージを無料で利用でき、このように、事業者はＧＩＤに基づいてＡＰＮ情報を設定できる。
【００４８】
具体的には、クライアントソフトウェアは、ＡＴ指令を送信することで、ＳＩＭカードのファイル内のＧＩＤ値を取得する。
【００４９】
ステップ４０５：取得されたＧＩＤ値に基づいて、ＧＩＤ値に対応するＡＰＮ情報が存在するか否かを検出する。
【００５０】
取得されたＧＩＤ値に基づいて、ＳＩＭカードのファイル又はクライアントソフトウェアにＧＩＤ値に対応するＡＰＮ情報が存在するか否かを照合する。
【００５１】
ステップ４０６：ＧＩＤ値に対応するＡＰＮ情報が存在している場合、検出されたＳＩＭカード内のＧＩＤ値に対応するＡＰＮ情報に基づいて自動ダイヤルを行う。
【００５２】
ステップ４０７：ＧＩＤ値に対応するＡＰＮ情報が存在しない場合、ＳＩＭカードが登録されているネットワーク規格を取得する。
【００５３】
ネットワーク規格は、ネットワークの類型であり、中国でよく使われている周波数帯域は、主にＣＤＭＡの携帯電話の占めているＣＤＭＡ１Ｘ、８００ＭＨｚの周波数帯域、ＧＳＭの携帯電話の占めている９００／１８００／１９００ＭＨｚの周波数帯域、ＧＳＭ１Ｘのデュアルモードの占めている９００／１８００ＭＨｚの周波数帯域、及び３Ｇの占めている９００／１８００／１９００／２１００ＭＨｚの周波数帯域がある。
【００５４】
ステップ４０８：取得されたネットワーク規格に基づいて、ネットワーク規格に対応するＡＰＮ情報が存在するか否かを検出する。
【００５５】
ステップ４０９：ネットワーク規格に対応するＡＰＮ情報が存在している場合、検出されたＳＩＭカードが登録されているネットワーク規格に対応するＡＰＮ情報に基づいて、自動ダイヤルを行う。
【００５６】
ステップ４１０：ネットワーク規格に対応するＡＰＮ情報が存在しない場合、ダイヤル失敗とする。
【００５７】
ネットワーク規格に対応するＡＰＮ情報が存在しないと、ＳＩＭカード内の情報に対応するＡＰＮ情報に基づいて自動ダイヤルを行う方式が失敗し、他の方式で自動ダイヤルを行う必要がある。
【００５８】
図３に戻り、ステップ３０２において、ダイヤルが成功したか否かを判断する。
【００５９】
ステップ３０３：ダイヤルが成功した場合、ブラウザを起動する。
【００６０】
ステップ３０４：ダイヤルが失敗した場合、プリセット基板ソフトウェアに対応するＡＰＮ情報を検出し、検出されたプリセット基板ソフトウェアに対応するＡＰＮ情報に基づいて自動ダイヤルを行う。
【００６１】
基板（board）は、回路基板を指し、具体的にはＰＣＢ基板であってもよい。プリセット基板ソフトウェアは、直接ハードウェアとやり取りを行うソフトウェアであり、プリセット基板ソフトウェアに対応するＡＰＮ情報は、主にプリセット基板ソフトウェアに書き込まれたパラメータによりＡＰＮ情報に対応するものであり、商品提供者がＡＰＮ情報をプリセット基板ソフトウェアに予め設定し、クライアントソフトウェアがＡＴ指令を送信することでＡＰＮ情報を取得し、検出された該プリセット基板ソフトウェアに対応するＡＰＮ情報に基づいて自動ダイヤルを行う。
【００６２】
ステップ３０５：ダイヤルが成功したか否かを判断する。
【００６３】
ダイヤルが成功した場合、ステップ３０３に進み、ブラウザを起動してデータを処理する。
【００６４】
ステップ３０６：今回のダイヤルが失敗した場合、クライアントソフトウェアにプリセットされたＡＰＮ情報に基づいて自動ダイヤルを行う。
【００６５】
なお、クライアントがインストールされた後、予め設定されたＡＰＮ情報をＰＣに記憶し、クライアントソフトウェアがＰＣ上の設定ファイルからＡＰＮ情報を読み取り、自動ダイヤルを行う。
【００６６】
ステップ３０７：ダイヤルが成功したか否かを判断する。
【００６７】
ダイヤルが成功した場合、ステップ３０３に進み、ブラウザを起動してデータを処理する。
【００６８】
ステップ３０８：ダイヤルが失敗した場合、診断機能を起動する。
【００６９】
なお、自動ダイヤルが成功していない場合、ユーザにより設定されたＡＰＮ情報に基づいて手動ダイヤルを行ってもよく、クライアントソフトウェアはＡＰＮを作成するインターフェースを提供し、事業者からＡＰＮ情報を取得する。
【００７０】
全てのダイヤルが失敗した場合、クライアントソフトウェアは、ダイヤル失敗を説明するため、信号強度、ハードウェアに損害が発生したか、ＳＩＭカードが破損しているか等の情報を診断する。
【００７１】
なお、本発明の実施例に係る３つの自動ダイヤリングの順序は厳密に固定されているものではなく、該３つの自動ダイヤリング、即ちＳＩＭカード内の情報に対応するＡＰＮ情報に基づいて自動ダイヤルを行うこと、プリセット基板ソフトウェアに対応するＡＰＮ情報に基づいて自動ダイヤルを行うこと、クライアントソフトウェアにプリセットされたＡＰＮ情報に基づいて自動ダイヤルを行うことをランダムに順序付けてもよく、ランダムに組み合わせてもよい。
【００７２】
本発明の実施例のアクセスポイントの自動ダイヤリング方法によれば、自動ダイヤリングは３つの方式で行われ、従来技術に比べると、事業者の管理するサブブランドが同じＭＣＣ又はＭＮＣを共有するが、サービスタイプの違いによりＡＰＮ情報を共有しない場合、ＭＣＣ又はＭＮＣに基づいて利用可能なＡＰＮ情報を有効に取得できない、という課題を解決できる。
【００７３】
本発明の実施例は、アクセスポイントの自動ダイヤリング装置を提供し、図５に示すように、該装置は、第１のダイヤリング部５０１、判断部５０２、ログイン部５０３、第２のダイヤリング部５０４、第３のダイヤリング部５０５、診断部５０６、及び制御部５０７を含む。
【００７４】
第１のダイヤリング部５０１は、ＳＩＭカード内の情報に対応するＡＰＮ情報を検出し、検出されたＳＩＭカード内の情報に対応するＡＰＮ情報に基づいて自動ダイヤルを行う。
【００７５】
ＳＩＭカード内の情報は、モバイル国コード（ＭＣＣ）／モバイルネットワークコード（ＭＮＣ）、グループＩＤ（ＧＩＤ）値、及びＳＩＭカードが登録されているネットワーク規格を含む。
【００７６】
ログイン部５０３は、ダイヤルが成功した場合、ブラウザを起動し、データ処理を行う。
【００７７】
制御部５０７は、第１のダイヤリング部５０１、第２のダイヤリング部５０４、及び第３のダイヤリング部５０５のいずれか１つをトリガし、該ダイヤリング部によるダイヤルが失敗した場合、他の２つのダイヤリング部のいずれか１つをトリガし、該ダイヤリング部によるダイヤルが再び失敗した場合、残りのダイヤル部をトリガする。
【００７８】
第２のダイヤリング部５０４は、プリセット基板ソフトウェアに対応するＡＰＮ情報を検出し、検出されたプリセット基板ソフトウェアに対応するＡＰＮ情報に基づいて自動ダイヤルを行う。
【００７９】
基板（board）は、回路基板を指し、具体的にはＰＣＢ基板であってもよい。プリセット基板ソフトウェアは、直接ハードウェアとやり取りを行うソフトウェアであり、プリセット基板ソフトウェアに対応するＡＰＮ情報は、主にプリセット基板ソフトウェアに書き込まれたパラメータによりＡＰＮ情報に対応するものであり、商品提供者がＡＰＮ情報をプリセット基板ソフトウェアに予め設定し、クライアントソフトウェアがＡＴ指令を送信することでＡＰＮ情報を取得し、検出された該プリセット基板ソフトウェアに対応するＡＰＮ情報に基づいて自動ダイヤルを行う。
【００８０】
第３のダイヤリング部５０５は、クライアントソフトウェアにプリセットされたＡＰＮ情報に基づいて自動ダイヤルを行う。
【００８１】
制御部５０７は、３つのダイヤルが全て失敗した場合、ダイヤル失敗の知らせを出す。診断部５０６は、制御部５０７がダイヤル失敗の知らせを出した場合、診断機能を起動する。
【００８２】
なお、自動ダイヤルが成功していない場合、ユーザにより設定されたＡＰＮ情報に基づいて手動ダイヤルを行ってもよく、クライアントソフトウェアはＡＰＮを作成するインターフェースを提供し、事業者からＡＰＮ情報を取得する。
【００８３】
全てのダイヤルが失敗した場合、クライアントソフトウェアは、ダイヤル失敗を説明するため、信号強度、ハードウェアに損害が発生したか、ＳＩＭカードが破損しているか等の情報を診断する。
【００８４】
なお、本発明の実施例に係る自動ダイヤリング装置では、第１のダイヤリング部、第２のダイヤリング部、及び第３のダイヤリング部の実行の順序が厳密に固定されているものではなく、該３つの自動ダイヤリング部による自動ダイヤリングの実行の順序をランダムに順序付けてもよく、ランダムに組み合わせてもよい。好ましくは、制御部は、第１のダイヤリング部、第２のダイヤリング部、第３のダイヤリング部の順序に従って３つの第ダイヤリング部をトリガしてもよい。
【００８５】
具体的には、第１のダイヤリング部５０１は、取得モジュール６０１、検出モジュール６０２、ダイヤリングモジュール６０３及び制御モジュール６０４を含む。
【００８６】
取得モジュール６０１は、ＳＩＭカード内のＭＣＣ又はＭＮＣを取得する。
【００８７】
ＭＣＣ（Mobile  Country  Code）は、モバイル国コードであり、ＭＣＣリソースは、国際電気通信連合（ITU）により統一に割り当てられて管理され、ＭＣＣはモバイルのユーザが属する国を唯一に識別し、３桁であり、中国は４６０である。
【００８８】
ＭＮＣ（Mobile  Network  Code）は、モバイルネットワークコードであり、２桁であり、中国移動のＧＳＭシステムは００、０２を使用し、中国聯通のＧＳＭシステムは０１を使用し、中国電信のＣＤＭＡシステムは０３を使用し、中国移動のＴＤシステムは０７を使用する。
【００８９】
検出モジュール６０２は、取得されたＭＣＣ又はＭＮＣに基づいて、ＭＣＣ又はＭＮＣに対応するＡＰＮ情報が存在するか否かを検出する。
【００９０】
ＭＣＣ又はＭＮＣを取得した後、ＳＩＭカードのファイルにＭＣＣ又はＭＮＣに対応するＡＰＮ情報が存在するか否かを照合する。
【００９１】
ダイヤリングモジュール６０４は、ＭＣＣ又はＭＮＣに対応するＡＰＮ情報が存在している場合、検出されたＳＩＭカード内のＭＣＣ又はＭＮＣに対応するＡＰＮ情報に基づいて自動ダイヤルを行う。
【００９２】
取得モジュール６０１は、ＳＩＭカード内のＧＩＤ値をさらに取得する。
【００９３】
ＧＩＤ（Group  Identification：グループＩＤ）は、共有リソースシステムのユーザのＩＤを指し、汎用的、適応性の強い、使いやすいユーザインタフェースのグラフィカルユーザインタフェースを幾何学的なシミュレーション、データ入力、モデル変換、グリッド及び可視化に適用する結果であり、数値シミュレーションパケットの全てのタイプに適用できる。あるＧＩＤのＳＩＭカードは、特定の機能を有するユーザを特別に表し、例えば、ＧＩＤがＡのユーザがショートメッセージを無料で利用でき、ＧＩＤがＢのユーザがマルチメディアメッセージを無料で利用でき、このように、事業者はＧＩＤに基づいてＡＰＮ情報を設定できる。
【００９４】
検出モジュール６０２は、取得されたＧＩＤ値に基づいて、ＧＩＤ値に対応するＡＰＮ情報が存在するか否かをさらに検出する。
【００９５】
ダイヤリングモジュール６０３は、ＧＩＤ値に対応するＡＰＮ情報が存在している場合、検出されたＳＩＭカード内のＧＩＤ値に対応するＡＰＮ情報に基づいて自動ダイヤルをさらに行う。
【００９６】
取得モジュール６０１は、ＳＩＭカードが登録されているネットワーク規格をさらに取得する。
【００９７】
ネットワーク規格は、ネットワークの類型であり、中国でよく使われている周波数帯域は、主にＣＤＭＡの携帯電話の占めているＣＤＭＡ１Ｘ、８００ＭＨｚの周波数帯域、ＧＳＭの携帯電話の占めている９００／１８００／１９００ＭＨｚの周波数帯域、ＧＳＭ１Ｘのデュアルモードの占めている９００／１８００ＭＨｚの周波数帯域、及び３Ｇの占めている９００／１８００／１９００／２１００ＭＨｚの周波数帯域がある。
【００９８】
検出モジュール６０２は、取得されたネットワーク規格に基づいて、ネットワーク規格に対応するＡＰＮ情報が存在するか否かをさらに検出する。
【００９９】
ダイヤリングモジュールは、ネットワーク規格に対応するＡＰＮ情報が存在している場合、検出されたＳＩＭカードが登録されているネットワーク規格に対応するＡＰＮ情報に基づいて自動ダイヤルをさらに行う。
【０１００】
制御モジュール６０４は、ＳＩＭカード内のＭＣＣ又はＭＮＣ、ＳＩＭカード内のＧＩＤ、及びＳＩＭカードが登録されているネットワーク規格の３種類の情報のいずれか１つを取得するように取得モジュール６０１を制御し、ダイヤリングモジュール６０３によるダイヤルが失敗した場合、他の２種類の情報のいずれか１つを取得するように取得モジュール６０１をトリガし、ダイヤリングモジュール６０３によるダイヤルが再び失敗した場合、残りの情報を取得するように取得モジュール６０１をトリガする、
なお、ＡＰＮ情報は、ＭＣＣ／ＭＮＣに対応するＡＰＮ情報、グループＩＤ（ＧＩＤ）値に対応するＡＰＮ情報、及びＳＩＭカードが登録されているネットワーク規格に対応するＡＰＮ情報という組み合わせで予め設定され、ＭＣＣ／ＭＮＣに対応するＡＰＮ情報、グループＩＤ（ＧＩＤ）値に対応するＡＰＮ情報、及びＳＩＭカードが登録されているネットワーク規格に対応するＡＰＮ情報の順序は厳密に固定されておらず、任意に組み合わせてもよい。ＡＰＮ情報は、ＳＩＭカード内に記憶されている。
【０１０１】
本発明の実施例のアクセスポイントの自動ダイヤリング装置によれば、従来技術に比べると、事業者の管理するサブブランドが同じＭＣＣ又はＭＮＣを共有するが、サービスタイプの違いによりＡＰＮ情報を共有しない場合、ＭＣＣ又はＭＮＣに基づいて利用可能なＡＰＮ情報を有効に取得できない、という課題を解決できる。
【０１０２】
上記の実施形態の説明は、本発明の以上の装置及び方法は、ハードウェアにより実現されてもよく、ハードウェアとソフトウェアを結合して実現されてもよい。本発明は、コンピュータが読み取り可能なプログラムのプロダクトという形式で体現されてもよく、該プログラムはプログラムを読み取り可能な記憶媒体、例えばコンピュータのフロッピー（登録商標）ディスク、ハードディスク、又は光ディスクに記憶されてもよく、コンピュータ等の装置（例えばＰＣ、サーバ、ネットワーク機器）に本発明の各実施例に係る方法を実行させる指令を含む。
【０１０３】
以上、具体的な実施形態を参照しながら本発明を説明しているが、上記の説明は、例示的なものに過ぎず、本発明の保護の範囲を限定するものではない。本発明の趣旨及び原理を離脱しない限り、本発明に対して各種の変形及び修正を行ってもよく、これらの変形及び修正も本発明の範囲に属する。
【図１】
2014525177.tif 000003
【図２】
2014525177.tif 000004
【図３】
2014525177.tif 000005
【図４】
2014525177.tif 000006
【図５】
2014525177.tif 000007
【図６】
2014525177.tif 000008
【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
ダイヤルが成功する、或いは下記３つの方式を全て用いってもダイヤルが失敗するまで、任意の順序で３つの方式を用いて自動ダイヤルを行う方法であって、該３つの方式は、
加入者識別モジュール（ＳＩＭ）カード内の情報に対応するアクセスポイント（ＡＰＮ）情報を検出し、前記検出されたＳＩＭカード内の情報に対応するＡＰＮ情報に基づいて自動ダイヤルを行うこと、
プリセット基板ソフトウェアに対応するＡＰＮ情報を検出し、前記検出されたプリセット基板ソフトウェアに対応するＡＰＮ情報に基づいて自動ダイヤルを行うこと、及び
クライアントソフトウェアにプリセットされたＡＰＮ情報に基づいて自動ダイヤルを行うことである、アクセスポイントの自動ダイヤリング方法。
【請求項２】
前記ＳＩＭカード内の情報は、モバイル国コード（ＭＣＣ）／モバイルネットワークコード（ＭＮＣ）、グループＩＤ（ＧＩＤ）値、及びＳＩＭカードが登録されているネットワーク規格を含む、請求項１に記載のアクセスポイントの自動ダイヤリング方法。
【請求項３】
前記ＳＩＭカード内の情報に対応するＡＰＮ情報を検出し、前記検出されたＳＩＭカード内の情報に対応するＡＰＮ情報に基づいて自動ダイヤルを行う方式において、
ダイヤルが成功する、或いは下記３つの方式を全て用いってもダイヤルが失敗するまで、任意の順序で３つの方式を用いて自動ダイヤルを行い、該３つの方式は、
ＳＩＭカード内のＭＣＣ又はＭＮＣを取得し、前記取得されたＭＣＣ又はＭＮＣに基づいて前記ＭＣＣ又はＭＮＣに対応するＡＰＮ情報を検出し、前記検出されたＳＩＭカード内のＭＣＣ又はＭＮＣに対応するＡＰＮ情報に基づいて自動ダイヤルを行うこと、
ＳＩＭカード内のＧＩＤ値を取得し、前記取得されたＧＩＤ値に基づいて前記ＧＩＤ値に対応するＡＰＮ情報を検出し、前記検出されたＳＩＭカード内のＧＩＤ値に対応するＡＰＮ情報に基づいて自動ダイヤルを行うこと、及び
ＳＩＭカードが登録されているネットワーク規格を取得し、前記取得されたネットワーク規格に基づいて前記ネットワーク規格に対応するＡＰＮ情報を検出し、前記検出されたＳＩＭカードが登録されているネットワーク規格に対応するＡＰＮ情報に基づいて自動ダイヤルを行うことである、請求項２に記載のアクセスポイントの自動ダイヤリング方法。
【請求項４】
前記ＡＰＮ情報は、前記ＳＩＭカード内の情報の組み合わせ順序に従って前記ＳＩＭカードに記憶されている、或いは前記クライアントソフトウェアに記憶されている、請求項３に記載のアクセスポイントの自動ダイヤリング方法。
【請求項５】
ダイヤルが成功した場合、ブラウザを起動することをさらに含む、請求項１乃至４のいずれかに記載のアクセスポイントの自動ダイヤリング方法。
【請求項６】
ＳＩＭカード内の情報に対応するＡＰＮ情報を検出し、前記検出されたＳＩＭカード内の情報に対応するＡＰＮ情報に基づいて自動ダイヤルを行う第１のダイヤリング手段と、
プリセット基板ソフトウェアに対応するＡＰＮ情報を検出し、前記検出されたプリセット基板ソフトウェアに対応するＡＰＮ情報に基づいて自動ダイヤルを行う第２のダイヤリング手段と、
クライアントソフトウェアにプリセットされたＡＰＮ情報に基づいて自動ダイヤルを行う第３のダイヤリング手段と、
前記第１のダイヤリング手段、前記第２のダイヤリング手段、及び前記第３のダイヤリング手段のいずれか１つをトリガし、該ダイヤリング手段によるダイヤルが失敗した場合、他の２つのダイヤリング手段のいずれか１つをトリガし、該ダイヤリング手段によるダイヤルが再び失敗した場合、残りのダイヤル手段をトリガする制御手段と、を含む、アクセスポイントの自動ダイヤリング装置。
【請求項７】
前記第１のダイヤリング手段は、
ＳＩＭカード内のＭＣＣ又はＭＮＣを取得する取得モジュールと、前記取得されたＭＣＣ又はＭＮＣに基づいて前記ＭＣＣ又はＭＮＣに対応するＡＰＮ情報を検出する検出モジュールと、前記検出されたＳＩＭカード内のＭＣＣ又はＭＮＣに対応するＡＰＮ情報に基づいて自動ダイヤルを行うダイヤリングモジュールと、制御モジュールと、を含み、
前記取得モジュールは、ＳＩＭカード内のＧＩＤ値をさらに取得し、前記検出モジュールは、前記取得されたＧＩＤ値に基づいて前記ＧＩＤ値に対応するＡＰＮ情報をさらに検出し、前記ダイヤリングモジュールは、前記検出されたＳＩＭカード内のＧＩＤ値に対応するＡＰＮ情報に基づいて自動ダイヤルをさらに行い、
前記取得モジュールは、ＳＩＭカードが登録されているネットワーク規格をさらに取得し、前記検出モジュールは、前記取得されたネットワーク規格に基づいて前記ネットワーク規格に対応するＡＰＮ情報をさらに検出し、前記ダイヤリングモジュールは、前記検出されたＳＩＭカードが登録されているネットワーク規格に対応するＡＰＮ情報に基づいて自動ダイヤルをさらに行い、
前記制御モジュールは、前記ＳＩＭカード内のＭＣＣ又はＭＮＣ、前記ＳＩＭカード内のＧＩＤ、及び前記ＳＩＭカードが登録されているネットワーク規格を含む３種類の情報のいずれか１つを取得するように前記取得モジュールを制御し、前記ダイヤリングモジュールによるダイヤルが失敗した場合、他の２種類の情報のいずれか１つを取得するように前記取得モジュールをトリガし、前記ダイヤリングモジュールによるダイヤルが再び失敗した場合、残りの１種類の情報を取得するように前記取得モジュールをトリガする、請求項６に記載のアクセスポイントの自動ダイヤリング装置。
【請求項８】
前記ＡＰＮ情報は、前記ＳＩＭカード内の情報の組み合わせ順序に従って前記ＳＩＭカードに記憶されている、或いは前記クライアントソフトウェアに記憶されている、請求項７に記載のアクセスポイントの自動ダイヤリング装置。
【請求項９】
ダイヤルが成功した場合、ブラウザを起動するログイン手段をさらに含む、請求項６乃至８のいずれかに記載のアクセスポイントの自動ダイヤリング装置。
【請求項１０】
請求項１乃至５のいずれかに記載の方法を実行するアクセスポイントの自動ダイヤリング装置。
【請求項１１】
アクセスポイントの自動ダイヤリングのプログラムであって、１つ又は複数のコンピュータ装置においてプログラムを実行する際に、請求項１乃至５のいずれかに記載の方法を実行させるプログラム。
【請求項１２】
コンピュータの実行可能な指令を有するコンピュータ読み取り可能な記憶媒体であって、１つ又は複数のコンピュータ装置において指令を実行する際に、請求項１乃至５のいずれかに記載の方法を実行させるための指令を有する記憶媒体。
【国際調査報告】
2014525177.tif 000009
2014525177.tif 000010
2014525177.tif 000011
2014525177.tif 000012
2014525177.tif 000013
2014525177.tif 000014